(57)【要約】      （修正有）【課題】シャツの襟首の回りの汚れを防ぎ、かつ首回りからの臭いを消し、殺風景な襟元のデザイン性を良くする、シートシールからなる襟クリーンを提供する。【解決手段】シートシールからなる襟クリーンであって、シートシールは、伸縮性に加工した布生地２と、防水シートと、剥離紙とを一体化したものであり、布生地２と防水シートは、シャツ襟裏地の首に当たる部分の形に加工されており、布生地２と防水シートは、粘着剤で貼付けられ、防水シートの両面のうち、布生地２が貼付けられていない面も粘着剤加工して剥離紙が取り付けられる。本考案は、布生地２で首回りからの汚れを取り、布生地２に抗菌デオドラント剤を添加する事によって首元からの臭いを消す。また、布生地２の表面に様々なプリントをする事によって視覚的なデザイン性を良くする。【選択図】図１
0003218247.tif 000002
【実用新案登録請求の範囲】
【請求項１】
伸縮性に加工した布生地と防水シートをシャツ襟裏地の首に当たる部分の形に加工する。布生地と防水シートを粘着剤で貼付け、防水シートのもう片方の面も粘着剤加工して剥離紙を取り付ける。布生地と防水シートと剥離紙を粘着剤で貼り付けて一体化する事で一枚のシートシールとする。このシートシールを襟クリーンとする。
【請求項２】
前記布生地の種類は綿・絹・ウール・ポリエステル・ナイロン・メッシュ・不織布のどれでも使用出来る。布生地のフチ回りをかがり縫いをして、糸のほつれを防ぐ事を特徴とする襟クリーン。
【請求項３】
襟クリーンに、抗菌デオドラント剤を添加する事を特徴とする襟クリーン。
【請求項４】
襟クリーンに、すべての色を着色プリント出来る。絵画・図形画・数字画・絵文字もプリント出来る事を特徴とする襟クリーン。
【請求項５】
襟クリーンの裏側の粘着テープ剥離紙部分に、子供から大人までの首回りのサイズを印刷してハサミでカットするする事により、誰にでもにも合うサイズに調整出来る事を特徴とする襟クリーン。
【請求項６】
襟クリーンにあらかじめ、襟ボタンを通す切れ込みを入れておく事を特徴とする襟クリーン。
【考案の詳細な説明】
【技術分野】
【０００１】  本考案はシャツの襟の汚れを防ぐと同時に首元からの臭いを防ぐ。又襟元にデザイン性を持たせるための襟クリーンに関するものである。
【背景技術】
【０００２】  衣服の中でシャツの襟は汗や皮脂の汚れが付着しやすく、臭気が発生しやすい場所である。このシャツの襟の汚れを落とすのに、現在は手間と時間をかけて洗濯で汚れを落としている。襟元のデザイン性に関しては、襟元にアクセサリー等を身に着ける事で対応している。
【考案の概要】
【考案が解決しようとする課題】
【０００３】  現状はシャツの襟の汚れ落としに労働的負担が大きい。簡単な洗濯で済ましていると長い間にシミと黄ばみになってしまう。この洗濯の汚れ落としの欠点を解決する事と、シャツ着用時に汗や皮脂で発生する臭気の発生を防ぐ事。及び襟元のデザイン性を良くする事。
【課題を解決するための手段】
【０００４】  （１）本考案は、襟裏地の形に成型加工した伸縮性布生地と伸縮性防水シートを粘着剤  で貼付けて、伸縮性防水シートのもう一方の片面にも粘着剤加工して剥離紙を貼付けて  全体を一枚のシートシールとなる様に加工する。このシートシールを襟クリーンと呼び  襟裏地に剥離紙をはがして貼付けて使用する事により、シャツの襟汚れを伸縮性布生地  で防ぐ事を特徴とする襟クリーン。
（２）前記伸縮性布生地を、綿・絹・ウール・ポリエステル・ナイロン・メッシュ・不  織布の布生地どれでも使用出来る。布生地の外周のほつれを防ぐ為にかがり縫いを施す  事を特徴とする襟クリーン。
（３）襟クリーンに抗菌デオドラント剤を添加する事により、首筋からの雑菌臭気を防  ぐ事を特徴とする襟クリーン。
（４）襟クリーンにすべての色を着色プリント出来る。又は絵画・図形画・数字画・絵  文字もプリント出来る。このプリントによって殺風景な襟元にデザイン性を持たせる事  を特徴とする襟クリーン。
（５）襟クリーンの裏側の粘着テープの剥離紙部分に、子供から大人までの首回りのサ  イズを印刷して、ハサミでカットして大きさの調整が出来る事を特徴とする襟クリーン  。
（６）襟クリーンにあらかじめ、襟ボタンの通し穴の切込みを入れて置く事を特徴とす  る襟クリーン。
【考案の効果】
【０００５】    上記の様に、襟クリーンを使用する事により襟裏地の汚れを防ぐ事が出来る。嫌な臭  気も防ぐ事も出来る。殺風景な襟元を明るくデザイン出来る。
【図面の簡単な説明】
【０００６】
【図１】本考案の襟クリーンの正面図である。
【図２】本考案の襟クリーンの裏面図である。剥離紙をはがして襟裏地に貼り付ける面である。
【図３】本考案の襟クリーンの側面図である。
【考案を実施するための形態】
【０００７】  シャツの襟裏地の大きさに応じて、襟クリーンの剥離紙にプリントした切込線でカットする。剥離紙の片方をはがして襟裏地の中心から外側に向かって襟クリーンを貼り付ける。もう片方も剥離紙をはがして中心から外側に向かって貼り付ける。襟クリーンには抗菌デオドラント処理及び画をプリントしてあるので、このままシャツを着用出来る。
【実施例】
【０００８】  以下、添付図面に従って説明する。本体１は布生地２と防水シート９と剥離紙５を粘着剤８で貼付けした物である。【０００９】  ８防水シート、首回りからの皮脂・汗を襟裏地に届かないようにする。【００１０】  ４襟ボタン穴の切込み、あらかじめボタンの切込み穴を入れて置く。【００１１】  ７切込み線、首回りの太さに応じて切込み線でカットして長さの調整が出来る。【００１２】  ６剥離紙めくり部分、この部分を中心として、襟裏地の中心から張り出すのに目安とする。【００１３】  ３かがり縫い、布生地のフチのほつれを防ぐ。【００１４】  １０プリント画、布生地にプリント画してデザイン性を付加する。
【符号の説明】
【００１５】  １  襟クリーン本体
２  布生地
３  かがり縫い
４  襟ボタン穴の切込み
５  剥離紙
６  剥離紙のめくり部分
７  切込み線
８  粘着剤
９  防水シート
１０  プリント画
【図１】
0003218247.tif 000003
【図２】
0003218247.tif 000004
【図３】
0003218247.tif 000005
【手続補正書】
【提出日】平成30年7月17日(2018.7.17)
【手続補正１】
【補正対象書類名】実用新案登録請求の範囲
【補正対象項目名】全文
【補正方法】変更
【補正の内容】
【実用新案登録請求の範囲】
【請求項１】
シートシールからなる襟クリーンであって、前記シートシールは、伸縮性に加工した布生地と、防水シートと、剥離紙とを一体化したものであり、前記布生地と前記防水シートは、シャツ襟裏地の首に当たる部分の形に加工されており、前記布生地と前記防水シートは、粘着剤で貼付けられ、前記防水シートの両面のうち、前記布生地が貼付けられていない面も粘着剤加工して前記剥離紙が取り付けられる事を特徴とするシートシールからなる襟クリーン。
【請求項２】
前記布生地は、綿、絹、ウール、ポリエステル、ナイロン、メッシュ又は不織布のいずれかであり、前記布生地のフチ回りをかがり縫いをして、糸のほつれを防ぐことを特徴とする請求項１に記載のシートシールからなる襟クリーン。
【請求項３】
前記襟クリーンは、抗菌デオドラント剤を添加したものであることを特徴とする請求項１に記載のシートシールからなる襟クリーン。
【請求項４】
前記襟クリーンは、すべての色を着色プリントしたもの、又は絵画、図形画、数字画、絵文字のいずれかをプリントしたものである、ことを特徴とする請求項１に記載のシートシールからなる襟クリーン。
【請求項５】
前記襟クリーンの裏側の前記剥離紙部分に、子供から大人までの首回りのサイズを印刷したことを特徴とする請求項１に記載のシートシールからなる襟クリーン。
【請求項６】
前記襟クリーンは、襟ボタンを通す切れ込みを有することを特徴とする請求項１に記載のシートシールからなる襟クリーン。